(57)【特許請求の範囲】
【請求項１】
パケット・モード及びサーキット・モードの電気通信ネットワークにアクセス可能なユーザ端末（１００，２００）に情報を伝送する情報伝送方法において、前記ネットワークを経由する第一の接続（１），（１’）の確立が、前記パケット・モード又は前記サーキット・モードのどちらかのモードによって、前記ユーザ端末により要求されたときに、前記ユーザ端末と情報サーバー（１６０，２６０）との間に、この第一の接続が確立されると同時にパケット・モード（２）における第二の接続が確立され、次いで前記情報サーバーは、この第二の接続により前記ユーザ端末へ前記情報を伝送することを特徴とする情報伝送方法。
【請求項２】
前記情報サーバーは、第一の接続の確立を確認した上で第二の接続を確立することを特徴とする請求項１記載の情報伝送方法。
【請求項３】
前記ユーザ端末が第一及び第二の接続を含む多数の接続により前記ネットワークにアクセスすると、第二の接続以外の接続終了がこのネットワークにより検出された場合に、前記情報サーバーはこの第二の接続を解除することを特徴とする請求項１または２記載の情報伝送方法。
【請求項４】
前記第一の接続の確立時に第一のデータベース（１７１，２７０，２７１）が閲覧され、前記ユーザが情報サービスの加入者であることを前記データベースが示した場合にのみ、第二の接続が確立されることを特徴とする請求項１〜３のいずれか一つに記載の情報伝送方法。
【請求項５】
前記情報サーバーは、第三のデータベース（１６１，２６１）に現れる加入者の性格に基づいて、加入者に伝送されるべき情報を、第二のデータベース（１６２，２６２）から選択することを特徴とする請求項４に記載の情報伝送方法。
【請求項６】
前記性格は加入者の好みを含むことを特徴とする請求項５に記載の情報伝送方法。
【請求項７】
前記情報サーバーは、加入者の位置に基づいて、加入者に伝送されるべき情報を、第二のデータベースから選択することを特徴とする請求項５または６記載の情報伝送方法。
【請求項８】
前記情報サーバーは、ユーザ端末の型式に基づいて、情報の表示形式を選択することを特徴とする請求項１〜７のいずれか一つに記載の情報伝送方法。
【請求項９】
前記情報サーバーは、前記情報の画面上の表示位置をユーザ端末に知らせることを特徴とする請求項８記載の情報伝送方法。
【請求項１０】
前記情報は本来広告であってバナー形式で端末上に表示され、バナーのクリック回数および／またはバナーの表示時間を考慮に入れて、この接続或いは第二の接続以外の接続に対する通信費の請求額を計算することを特徴とする請求項１〜９のいずれか一つに記載の情報伝送方法。
【請求項１１】
プッシュフラグが掲げられるＴＣＰセグメントの形式で、前記情報がこのユーザ端末へ伝送されることを特徴とする請求項１〜１０のいずれか一つに記載の情報伝送方法。
【請求項１２】
前記電気通信ネットワークが、ＵＭＴＳネットワークであることを特徴とする請求項１〜１１のいずれか一つに記載の情報伝送方法。
【請求項１３】
前記電気通信ネットワークが、ＧＳＭ／ＧＰＲＳネットワークであることを特徴とする、請求項１〜１２のいずれか一つに記載の情報伝送方法。
【請求項１４】
前記電気通信ネットワークが、ＩＳＤＮネットワークであることを特徴とする請求項１〜１１のいずれか一つに記載の情報伝送方法。
【請求項１５】
パケット・モード及びサーキット・モードのアクセスを提供する電気通信ネットワークによるユーザ端末（１００，２００）に情報を伝送する情報伝送システムにおいて、前記システムはサービス・マネージメント手段（１７０，２７２，２７３）と情報サーバー（１６０）とから成り、このサービス・マネージメント手段は前記パケット・モード又は前記サーキット・モードのいずれか一方のモードによって、前記ユーザ端末からの接続を確立するための要求を受信する手段を有し、前記情報サーバーは前記ユーザ端末と第一の接続が行なわれると同時にパケット・モードによる第二の接続を確立する手段を有し、さらにこのサーバーは、次いで第二の接続により前記ユーザ端末へ前記情報を伝送する手段を有するものであることを特徴とする情報伝送システム。
【請求項１６】
前記サービス・マネージメント手段（１７０，２７２，２７３）は、第一の接続の確立を確認の上で第二の接続の確立を可能にする情報要素を、前記サーバー（１６０）へ供給する手段を有するものであることを特徴とする請求項１５記載の情報伝送システム。
【請求項１７】
前記ユーザ端末がこの第一及び第二の接続を含む多数の接続により前記ネットワークにアクセスする場合に、前記サービス・マネージメント手段は、第二の接続以外の接続終了信号が送られると、この第二の接続の解除を可能にする情報要素をサーバーに供給する手段を有するものであることを特徴とする請求項１５または１６記載の情報伝送システム。
【請求項１８】
第一のデータベース（１７１，２７０，２７１）をさらに備え、前記サービス・マネージメント手段はこの第一のデータベースの閲覧が可能であり、ユーザが情報サービスへの加入者であることを第一のデータベースが示した場合にのみ、情報サーバーへの前記情報要素の供給を可能にするものであることを特徴とする請求項１６または１７記載の情報伝送システム。
【請求項１９】
前記情報サーバー（１６０，２６０）は、加入者へ伝送されるべき情報を含む第二のデータベース（１６２，２６２）と、加入者の性格を含む第三のデータベース（１６１，２６１）とを有することを特徴とする請求項１５〜１８のいずれか一つに記載の情報伝送システム。
【請求項２０】
前記性格が加入者の好みを含むことを特徴とする請求項１９記載の情報伝送システム。
【請求項２１】
前記サービス・マネージメント手段は、ユーザの位置に関する情報を前記情報サーバーに提供することができると共に、この情報サーバーは、前記位置情報に基づき加入者へ伝送される情報を、前記第二のデータベースから選択できることを特徴とする請求項１９または２０記載の情報伝送システム。
【請求項２２】
前記情報サーバーは、ユーザ端末の型式に基づいて情報の表示形式を選択できることを特徴とする請求項１５〜２１のいずれか一つに記載の情報伝送システム。
【請求項２３】
前記情報サーバーは、前記情報の画面上の表示位置をユーザ端末に知らせるものであることを特徴とする請求項２２記載の情報伝送システム。
【請求項２４】
プロセッサーにより実行され、請求項１５〜１８または２１のいずれか一つに記載する情報伝送システムのサービス・マネージメント手段を動作するのが可能であることを特徴とするスマート・ネットワーク・サービス・マネージメント・ソフトウェア。
【請求項２５】
プロセッサーにより実行され、請求項１５〜１７のいずれか一つに記載する情報伝送システムの情報サーバーを動作するのが可能であることを特徴とする情報サーバー制御ソフトウェア。
【請求項２６】
プロセッサーにより実行される場合に、請求項５〜１０のいずれか一つに記載する情報伝送方法の各手順を実行するのが可能であることを特徴とする情報サーバー・データベース・マネージメント・ソフトウェア。
【発明の詳細な説明】
【０００１】
【発明の属する技術分野】
本発明は、一般的なユーザ端末への情報伝送方法に関するものである。さらに具体的には、本発明は、パケット・モードのアクセスおよびサーキット・モードのアクセスを提供するネットワークからユーザ端末に対して広告情報を伝送する方法に関するものである。
【０００２】
【従来の技術】
現在の最新技術において、ユーザ端末への広告情報伝送方法は、種々の方法が知られている。
【０００３】
第一に、インターネット通じて広告情報を宣伝する技術は、広く使用されている。特に、ユーザがウェッブ・サーバーとＴＣＰ（Ｔｒａｎｓｍｉｓｓｉｏｎ Ｃｏｎｔｒｏｌ Ｐｒｏｔｏｃｏｌ）接続を確立すると、サーバーはアプリケーション・ソフトウェアのレベルでユーザに広告情報を伝送するために、この接続を利用することが知られている。この情報は、一般的にバナー形式で、ユーザ端末上に表示される。広告情報は、例えばプッシュ・モードのサーバーによりＴＣＰ接続へ送られる。言い換えるならば、その広告データは直ちに、ユーザのアプリケーション層へ配信される。宣伝モードに依存して、広告売上はネットワーク・オペレータではなく、コンテンツ供給者またはサービス供給者により回収される。さらに、広告メッセージの伝送は、ユーザへの有用な情報伝送を中断し遅延させる。
【０００４】
国際特許出願公開ＷＯ−Ａ−９８３４３９２号は、二人の加入者間通信における全部または一部分の請求書を、第三者である広告者に送る方法についても開示している。この方法によれば、一人の加入者が割引料金でもう一人の加入者と連絡を取りたい場合は、所定の局番に先行して通信相手の番号を入力する。ネットワークによりその局番が検出されると、広告者のサーバーを経由して通信が経路選択され、広告者のサーバーは、広告メッセージをその経路を通して伝送することができる。その代わりに、ネットワークは、広告者にその分の請求書を送る。この方法は、ネットワーク構成を切断して通信経路の再選択を必要とするので複雑である。さらにこの方法は、通話者の一人が広告メッセージ・サービスに加入していない場合でも、二者間の通信を中断することになる。
【０００５】
ネットワーク・オペレーターによる広告売上の回収を可能にする広告メッセージの宣伝方法が、フランス国実用新案登録出願公開ＦＲ−Ａ−２７５６６９５号に提案されている。この方法によれば、移動端末が作動すると直ぐに、ネットワークは経路探索してその移動端末へ広告メッセージを送信し、その端末の画面に広告メッセージを表示する。この方法は、他のアクティブな移動局と共有する無線資源の一部分を経路探索に使用する不都合さがあり、しかもこうした他の移動局のユーザを対象としない不都合さを有している。また、表示がネットワークのアクセス時間に限定されるので、制約が非常に大きいという不都合もある。
【０００６】
さらに、ＧＳＭシステム（汎欧州デジタル・セルラー・システム）におけるＳＭＳ（ショート・メッセージ・サービス）も良く知られている。このサービスは現在、信号ネットワークを通じて、簡潔なメッセージを送受信することが可能である。メッセージが受信されると、一般的に標識がユーザ端末に表示され、ユーザがそれを読むことができる。この種のサービスは、ユーザ側での事前動作が前提となるので、広告メッセージの宣伝を行なうことに適していない。
【０００７】
【発明が解決しようとする課題】
本発明の目的は、前記の不都合さを有しない、すなわち利用が簡単で、加入者の通信を妨害せず、加入者を選択し加入者に対して連続的に広告メッセージを配信し、しかもオペレーターが広告売上の回収を行なう見返りに割引料金を提供できる広告メッセージの伝送方法を提供することである。
【０００８】
さらに、本発明の重要な利点は、音声やテレビ電話のみならずデータ転送のようないかなる通信型式でも、またこの通信がサーキット・モード或いはパケット・モードで行われても適用可能なことである。
【０００９】
【課題を解決するための手段】
この目的のために、本発明による方法は、パケット・モードによるアクセスとサーキット・モードによるアクセスをユーザに提供する電気通信ネットワークによって実施される。この方法においては、パケット・モード又はサーキット・モードのどちらかのモードによって、ネットワークを通じて少なくとも第一の接続が前記ユーザ端末により要求された場合に、前記ユーザ端末と情報サーバーとの間の第一の接続がなされると同時に、パケット・モードによる第二の接続が確立され、情報サーバーは、第二の接続によりユーザ端末へ前記情報を伝送するのである。
【００１０】
このサーバーは、第一の接続確立を確認した上で、第二の接続を確立するという利点を持っている。
【００１１】
さらなる利点は、ユーザ端末が第一及び第二の接続を含む多数の接続によりネットワークにアクセスすると、ネットワークが第二の接続以外の接続終了を検出した場合に、この第二の接続が解除される利点を有することである。
【００１２】
本発明の第一の特徴によれば、第一の接続が確立された時点で第一のデータベースが閲覧され、ユーザがこの情報サービスの加入者であることを第一のデータベースが示した場合にのみ第二の接続が確立される。
【００１３】
サーバーは次に、第三のデータベースに登録されている加入者の性格、特に好みに基づいて、第二のデータベースから加入者へ伝送する情報を選択することができる。
【００１４】
このサーバーは、加入者へ伝送される情報を、加入者の位置に基づくデータベースから選択することも可能である。
【００１５】
本発明の第二の特徴によれば、このサーバーは、ユーザ端末の型式に基づいて情報の表示様式を選択する。
【００１６】
本発明の第三の特徴によれば、情報は広告であり、バナー形式で端末に表示される。そして、これらのバナーのクリック回数および／またはバナーの表示時間を考慮に入れて、その接続或いは第二の接続以外の接続に対する通信費の請求額が計算される。
【００１７】
本発明の第四の特徴によれば、この情報は、プッシュフラグが揚げられるＴＣＰセグメントの形式でユーザ端末へ伝送される。
【００１８】
第一の適用モードによれば、本発明による方法はＵＭＴＳ（ユニバーサル移動電話システム）電気通信ネットワークに適用可能である。
【００１９】
第二の適用様式によれば、本発明による方法は、ＧＳＭ／ＧＰＲＳ（汎用パケット無線サービス）電気通信ネットワークに適用可能である。
【００２０】
第三の適用モードによれば、本発明による方法は、ＩＳＤＮ（総合サービス・デジタル通信網）ネットワークに適用可能である。
【００２１】
本発明は、前記方法を利用するのに適したシステムに関するものでもある。
【００２２】
さらに本発明は、ネットワーク・サービス管理用スマート・ソフトウェアや、サーバー制御ソフトウェア・プログラムや、前記方法の利用に適したデータベース管理用ソフトウェア・プログラムに関する。
【００２３】
前記本発明の特徴は、他の特徴と共に、添付の図面と関連した以下の説明を読むことにより、さらに明らかとなるであろう。
【００２４】
【発明の実施形態】
本発明は、特に移動端末などのユーザ端末を提供でき、サーキット・モードのアクセスとパケット・モードのアクセスの双方が可能なネットワークに対して、一般的に適用可能である。サーキット形式接続に対しては、伝送資源（リソース）の一部が通信継続のために専用に引き当てられることが思い起こされる。この伝送資源は、例えば、周波数，接続線，物理的フレームのセグメント等である。これに対して、パケット・モード接続では、ユーザは、伝送すべきデータがある時のみ資源にアクセスするので、通信が存在する間で仮想サーキットだけが確立される。一般的に、サーキット・モード接続は音声通信に適しているのに対し、パケット・モード接続は、ＩＰ（インターネット・プロトコル）データグラム或いはＸ２５パケットのような、急激なデータ・トラフィックに適している。
【００２５】
サーキット・モード接続でのアクセスのみを提供するＧＳＭシステムは、パケット・モードでのアクセスをも支援するＧＰＲＳ標準に適応された。さらに、第三世代移動電話システム（ＵＭＴＳ）も、両形式の接続を提供するものである。
【００２６】
ＧＰＲＳシステムのユーザ（仮に、Ａ級移動端末を持っている場合）或いはＵＭＴＳシステムのユーザは、例えば電話会話用のパケット・モード接続と、例えばインターネット・サイトでの情報検索用のパケット・モード接続とを、同時に確立できるであろう。同様に、ＩＳＤＮネットワークでは、Ｄチャンネル上でのパケット・モード接続と同時に、Ｂチャンネル上でのサーキット・モード接続の確立が可能である。
【００２７】
本発明の方法によると、ユーザが呼びを発信して、サーキット・モードにより或いはパケット・モードにより接続を確立すると、ネットワークは、呼びを確立したユーザまたは呼びを受けたユーザが、広告メッセージ・サービスへの加入者かどうかを検証する。もしも加入者である場合は、ネットワークは、ユーザの関連事項、すなわち呼び出し側或いは呼ばれた側の番号や、端末型式や、料金識別番号や、アクセス特性等を参照して、広告サーバーに対しコール・インジケーターを発信する。
【００２８】
メッセージ・サービスに対するユーザ自身のアクセス権利を検証し、ユーザの広告への好みをそのデータベースで検索した上で、サーバーは加入者のユーザ端末と接続する仮想回路を確立し、ユーザの好みおよび／または位置に応じた広告情報をユーザに対し伝送する。これを実行するために、サーバーは、有利な方法としてＴＣＰプロトコルのプッシュ・モード伝送を使用するであろう。プッシュ・モード伝送は、このデータを、ユーザのアプリケーション層へ直ちに送信可能である。広告情報はサーバーの広告データベースから伝送されると共に、例えば画面の大きさが合えば、ユーザが使用する端末型式に依存した形式で、広告バナーの形式にて表示される。
【００２９】
仮想回路に使用される資源は、ユーザが加入した利用可能な帯域から、或いはサービスの最低限の質（ベスト・エフォート）を保証するためにネットワーク・オペレーターにより固定される利用可能な帯域から引き出される。両方の場合とも、広告情報は、第一の接続に依存せずに、第一の接続と同時に確立される仮想回路上を伝送されるので、第一の接続上の通信は全く邪魔されることは無い。
【００３０】
表示される広告情報は、インターネット・サイトへのまたは他の広告情報への参照先を含んでいてもよい。加入ユーザは、例えば広告バナーの中から選んでインターネット上のデータを見ることができるであろう。もしその情報が利用できるならば、サーバーは、広告バナーに添付されているＵＲＬアドレスの呼び経路を変更する。加入ユーザがこれらのバナーをクリックした回数と、その接続の時間長さから、こうして閲覧された広告の数と、これらの合計表示時間と、一般的な閲覧統計数が、サーバーにより取得される。このサービスのおかげで広告売上の回収を行なうネットワーク・オペレーターは、加入者に対し有利な通信料金を提供することがきる。
【００３１】
図１は、本発明の一般原理を説明したものである。ユーザが自身の端末（１００）を経由して、サーキット・モード接続（１）により他のユーザ（１８０）と第一の通信を確立するか、或いは、パケット・モード接続（１’）により例えばインターネットに対するＵＲＬアドレス（１９０）と第一の通信を確立した場合、サービス・マネージメント・システム（１７０）は、この要求に反応する。次に、このマネージメント・システム（１７０）は、ユーザの関連情報を含むデータベース（１７１）の中から、呼び出し側（１００）または呼ばれた側（１８０，１９０）が情報宣伝サービスの加入者であるか否かを検証する。もし加入者であれば、このサービス・マネージメント・システムはサーバー（１６０）を動作させ、加入者（この場合は、呼び出し側であるとする）とのパケット・モードによる接続（２）を確立するのに有用なデータをサーバーに供給する。それから、このサーバーは、第二の接続を通して、加入者の場所に基づくデータベース（１６２）に格納された情報と共に、例えば好みなどの加入者の性格に基づくデータベース（１６１）に格納された適正な情報を、加入者に伝送する。この情報は特に、プッシュ・モ−ドのＩＰパケット形式により伝送される。サーバーは、ユーザ端末上でその情報が見えるウインドウの位置を、例えば特定のメッセージにより加入者に知らせるのが好ましい。第一の接続の確立が確認（呼びの確認）されると直ちに、第一の接続（１），（１’）と同時に、第二の接続（２）が確立される。ユーザは、自分の端末（１００）から他の各接続の確立を選択できる。この第一の接続、或いは一般的にはサーバー（１６０）との接続以外の総ての接続が解除されると、マネージメント・システム（１７０）はこれに反応し、サーバー（１６０）に知らせ、サーバーは第二の接続（２）を解除する。
【００３２】
図２は、ＧＳＭ／ＧＰＲＳネットワーク或いはＵＭＴＳネットワークと接続した状態における本発明の実施形態を示す。括弧内の文字は、ＵＭＴＳシステムがＧＳＭ／ＧＰＲＳシステムと異なる場合のＵＭＴＳシステムでの呼び名である。本発明の動作は、この二つのネットワークに対して類似しているので、説明はＧＳＭ／ＧＰＲＳネットワークについて行い、相違点のみ必要があれば指摘する。
【００３３】
例えば、パーソナル・コンピュータ（図示なし）に接続され若しくは接続されてない移動局（ＭＳ）としての端末（２００）を、ユーザが保有していると仮定する。この移動局は、パケット・モードのノード（２２０）およびサーキット・モードのノード（２１３）からの制御情報を受信するＢＳＣすなわちベース・ステーション・コントローラー（２１１）（ＵＭＴＳシステムにおいては、ＲＮＣすなわちラジオ・ネットワーク・コントローラーである）により制御されるＢＴＳすなわちベース・トランシーバー・ステーション発信機／受信機（２１０）（ＵＭＴＳシステムにおいてはＢノード）を備えた基地局により、サービスを受ける。コントローラー（２１１）は、特に無線インターフェース・チャンネルとセルに出入りする各移動局の受け渡しを管理する。このチャンネルは、サーキット・モード接続のために留保されるか、またはパケット・モード接続のために共用される。ＢＴＳ（Ｂノード）とＢＳＣ（ＲＮＣ）（ＲＮＳはラジオ・ネットワーク・システムの略語である）から成るユニットは、ＢＳＳとも呼ばれる基地局サブシステムを形成する。コントローラー（２１１）は、公衆電話交換回路網（ＰＳＴＮ）（２４０）に対しサーキット・モードで通信が通過する従来のＧＳＭネットワークにおけるＭＳＣすなわち（モバイル・スイッチ・センター）（２１３）へ接続される。
【００３４】
コントローラー（２１１）は、パケット・モードの通信が通過するＧＰＲＳサービスのＳＧＳＮノード（サービング・ＧＰＲＳ・サポート・ノード）にも接続される。パケット・モード伝送ネットワーク（ＰＤＮ）或いはインターネットへの接続は、ＧＧＳＮすなわちゲートウェイ・サポート・ノード（２３０）により取り扱われる。データベース（２６１）を備える広告情報サーバー（２６０）は、このネットワークに接続される。ＭＳＣスイッチ，ＳＧＳＮサービス・ノードそして広告情報サーバーは、ＣＣＩＴＴ（国際電信電話諮問委員会）勧告７０に従って、信号ネットワーク（ＳＳ７）を経由して、ＶＬＲ（ビジター位置登録）データベース（２７０），ＨＬＲ（ホーム位置登録）データベース（２７１），ＥＩＲ（装置インターフェース登録）データベース（２７４），およびサービス管理責任を有する専用ＳＭＰ（サービス・マネージメント・ポイント）（２７３）を意図したサービス・コントロール・ポイント（ＳＣＰ）へ夫々接続される。ＶＬＲデータベースは自身のサービス地域を通過する総ての移動局に関する情報を有し、ＨＲＬデータベースはユーザの永久的な情報、例えばユーザの国際携帯電話加入者身分（ＩＭＳＩ）を有する。ＥＩＲデータベースはユーザの装置、例えばＩＭＥＩ（国際携帯電話装置身分）のようなものに関する情報を有する。
【００３５】
ユーザが通信を確立したい場合（或いは、端末で新しいアプリケーションを開始する場合）、必要な通信（或いは、アプリケーション）の型式に基づいてＢＳＣにより必要な接続モードが決定される。ＭＳＣスイッチまたは場合に応じてＳＧＳＮノードは、呼びの要求信号を発信し、通例のチェックがＨＬＲデータベースにおいて実行される。そして、サービス・コントロール・ポイント（ＳＣＲ）は、ユーザが広告メッセージ・サービスへの加入者かどうかを検証し、もし加入者であれば、サービス管理ポイント（ＳＭＰ）は、信号装置ネットワーク（ＳＳ７）を経由して広告メッセージ・サーバー（２６０）へ情報を送信し、パケット・モードで加入者との接続を確立する。このサーバーは、各加入者に対して、ユーザ証明書や、アクセス権利や、ユーザの広告の好みや、広告バナーに接続されているＵＲＬへの接続時間や、一般的には加入者の人物紹介さもなければ加入者のサービス利用に関するあらゆる関連情報を有する加入ユーザのデータベース（２６１）を備えている。このデータベースは、利用顧客がこのサービスに加入する時に、この利用顧客によって提供された情報を使用して構築され、ＨＬＲデータベース内に既に存在する情報により収集される。ユーザが位置測定サービスにも加入している場合には、このサーバーはＶＬＲファイルから加入者の現在位置も取得できる。ユーザのアクセス権利を検証した上で、このサーバーは、加入者の広告の好みおよび／または加入者の位置に基づいて、端末の表示に適した形式の広告データベース（２６２）からの情報を選択する。端末の型式は、ＥＩＲデータベース中で入手可能なＩＭＥＩ番号によって、またあらゆる最新の情報によってサーバーに示される。広告情報の伝送周波数は、加入者ユーザにより選択されるか、或いはネットワーク・オペレーターにより決定される。広告情報は、直ちにアプリケーション・レベルへ送信され、指定区域のスクリーン上に直接表示される。この広告情報は、データベース内の他の広告情報或いは広告者サイトに関するメニューまたはハイパーテキスト・リンクを提供できる。総ての選択および閲覧（ブラウジング）情報は、データベースを更新するためと、通信に適用可能な割引料金を計算する必要な要素をネットワーク・オペレーターに提供するために、サーバーによって使用される。
【００３６】
勿論、広告メッセージ・サービスは、呼出し側の加入ユーザに限定されるものではない。呼出されたユーザもまた加入者である場合、または呼出されたユーザが単独の加入者である場合は、サーバーは上記の手順に従って広告情報を加入者に伝送することができる。この加入者が優先する通信料金支払い者でなくとも、呼出された人が広告サービスの利用時間に対して費用を出すことになり、この結果、呼出された人は、その後の通信に対して有利な料金での利益を被ることになる。
【００３７】
加入者は、特別な符号を送信することにより、通信中に広告情報を受信しないこと或いはそれ以上には受信しないことを選択できる。この場合サーバーは、この状況を金額請求のため考慮に入れて、接続終了の確認を送信する。同様に、第一の通信が終了すると、サーバーはそのことをＳＭＰサービス・マネージャーから知らされ、直ちに加入者との接続を終了する。加入者が幾つかの通信を確立している場合、サーバーとの通信の終了を起動すると、最後のアクティブな通信が終了する。
【００３８】
今までに説明した本発明は、ＧＳＭ／ＧＰＲＳとＵＭＴＳネットワークへの応用であったが、今までに理解されたように、サーキット・モード接続とパケット・モード接続が同時に可能な電気通信であればどれに対してでも適用可能である。例えば本発明は、Ｂチャンネル上でサーキット・モード接続を提供すると共に、Ｄチャンネル上でパケット・モード接続を提供するＩＳＤＮに対して適用可能である。
【００３９】
同様に、この説明は広告情報サーバーを基本的に説明したが、本発明はこの形式の情報に限定されるものではない。とりわけ、ネットワーク情報、交通情報、笑い話、ビディオギャグ等の広告も可能である。利用加入者は、従って、実施例中の情報或いはこれらの情報形式に対して自由に接続形態を選定できる。ユーザの画面上の表示は、バナーに限定されず、一般的に文書，映像或いはマルチメディアの形式を採っても良い。
【図面の簡単な説明】
【図１】本発明の一般的原理を示す概略図である。
【図２】本発明の一実施形態が使用されるＧＰＲＳ／ＧＳＭシステム或いはＵＭＴＳシステムのアーキテクチャを示す概略図である。
【符号の説明】
１  第一の接続
１’  第一の接続
２  パケット・モード
１００ ユーザ端末
１６０ 情報サーバー
１６１ 第三のデータベース
１６２ 第二のデータベース
１７０ サービス・マネージメント手段
１７１ 第一のデータベース
２００ ユーザ端末
２６０ 情報サーバー
２６１ 第三のデータベース
２６２ 第二のデータベース
２７０ 第一のデータベース
２７１ 第一のデータベース
２７２ サービス・マネージメント手段
２７３ サービス・マネージメント手段
【図１】
0004607423.tif 000002
【図２】
0004607423.tif 000003